(57)【要約】【課題】  本発明は、陳列棚等の棚板類が本体内に収納された状態を維持するスライドレールのロック装置に関するものであり、簡単な構造で、部品点数も少なく安価に製作でき、作業性にも優れたスライドレールのロック装置を提供することを課題とする。【解決手段】係止部材とロック部材を有するスライドレールのロック装置において、係止部材は、上下嵌合突部と、固定部と、固定部の内面に連設される係止突起が、合成樹脂材より一体に形成され、係止突起は、前端側に形成された案内傾斜部と、後端に形成された当接係止部を有し、ロック部材は、上下弾性翼部と、固定基板部と、前記係止突起に係止するロック用突起を有するロック部と、ロック用突起と係止突起の係止状態を解除する操作用腕部が合成樹脂材より一体に形成され、ロック用突起は、案内傾斜部に対応して被案内傾斜部と、当接係止部に対応して当接ロック部を有しているものである。【選択図】図１
2015012913.tif 000002
【特許請求の範囲】
【請求項１】
ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなるスライドレールのロック装置において、係止部材は、固定側レールに嵌合される上下嵌合突部と、上下嵌合突部間に連設され、スライドレールの摺動方向に不動に取り付けられる固定部と、固定部の内面に連設される係止突起が、合成樹脂材より一体に形成され、ロック部材は、移動側レールに嵌合される上下弾性翼部と、上下弾性翼部のスライドレールの摺動方向中央部間に連設され、移動側レールに回動自在で、スライドレールの摺動方向に不動に取り付けられる固定基板部と、固定基板部の前方に連設され、前記係止突起に係止するロック用突起を有するロック部と、ロック部の前方に連設されて、移動側レールの前方に突出し、固定基板部を上下いずれかの方向に回動させて、ロック用突起と係止突起の係止状態を解除する操作用腕部が合成樹脂材より一体に形成されていることを特徴とするスライドレールのロック装置。
【請求項２】
係止突起は、前端側に形成された案内傾斜部と、後端に形成された当接係止部を有し、ロック用突起は、案内傾斜部に対応して被案内傾斜部と、当接係止部に対応して当接ロック部を有していることを特徴とする請求項１に記載のスライドレールのロック装置。
【発明の詳細な説明】
【技術分野】
【０００１】
本発明は、陳列棚等の棚板類が本体内に収納された状態を維持するスライドレールのロック装置に関するものである。
【背景技術】
【０００２】
従来、前記スライドレールのロック装置として数々のものが提供されている。
その代表的なものとして先行技術文献１（特許文献１）に示すように、ラック等の本体に固定される固定側レールと、固定側レールに対し摺動自在に配設された移動側レールと、移動側レールの前端部内面に設けられたロック片とよりなるスライドレールにおいて、前記固定側レールの基板前端部に移動側レールの方向に突出する係止突片が形成され、前記ロック片は、移動側レールの前方に突出する操作突部と、係止突片側に突出し前端が係止突片に係止する位置で、後端が係止突片から外れた位置に傾斜する案内傾斜部と、案内傾斜片の係止状態を維持する係止状態維持部を有し、移動側レールと平行に回動自在で、常に案内傾斜部が係止突片に係止する方向に回動力が付与されているものである。
そして、前記回動力は、巻きバネを使用することによって得ていた。
【０００３】
すなわち、ロック装置は、ロック片（右用、左用が必要）、巻きバネ、リベット等、部品点数が多くなり在庫管理、コスト等の問題があった。さらに、スライドレールにロック装置を組み付ける際、巻きバネを弾性変形させた状態で組み付けなければならず、この作業が非常に煩雑で、生産性がよくなかった。
【先行技術文献】
【特許文献】
【０００４】
【特許文献１】特許第３５９４４９４号公報
【発明の概要】
【発明が解決しようとする課題】
【０００５】
本発明は、簡単な構造でコンパクトに構成でき、部品点数も少なく安価に製作でき、作業性にも優れ、既に製作された一般的なスライドレールにもロック機能を付加することができるスライドレールのロック装置を提供することを課題とする。
【課題を解決するための手段】
【０００６】
そこで、上記課題を解決する為、本発明が第１の手段として構成したところは、ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなるスライドレールのロック装置において、係止部材は、固定側レールに嵌合される上下嵌合突部と、上下嵌合突部間に連設され、スライドレールの摺動方向に不動に取り付けられる固定部と、固定部の内面に連設される係止突起が、合成樹脂材より一体に形成され、ロック部材は、移動側レールに嵌合される上下弾性翼部と、上下弾性翼部のスライドレールの摺動方向中央部間に連設され、移動側レールに回動自在で、スライドレールの摺動方向に不動に取り付けられる固定基板部と、固定基板部の前方に連設され、前記係止突起に係止するロック用突起を有するロック部と、ロック部の前方に連設されて、移動側レールの前方に突出し、固定基板部を上下いずれかの方向に回動させて、ロック用突起と係止突起の係止状態を解除する操作用腕部が合成樹脂材より一体に形成されているものである。
【０００７】
上記課題を解決する為、本発明が第２の手段として構成したところは、前記第１の手段に加え、係止突起は、前端側に形成された案内傾斜部と、後端に形成された当接係止部を有し、ロック用突起は、案内傾斜部に対応して被案内傾斜部と、当接係止部に対応して当接ロック部を有しているものである。
【発明の効果】
【０００８】
本発明の第１の手段として構成したところによると、係止部材とロック部材は合成樹脂材より形成され、係止部材は上下嵌合突部と固定部を有し、ロック部材は移動側レールに嵌合される上下弾性翼部と固定基板部を有しているので、移動側レール、あるいは、固定側レールに工具を使用せずに取り付けることができる。ロック部材は固定基板部を回動自在とし、ロック部を固定基板部の前方に連設しているので、操作用腕部に上下いずれかの方向に回動力を付与すれば、ロック用突起と係止突起の係止状態を解除することができるので、係止部材と、ロック部材は左右兼用とすることができ、部材点数を削減し、安価に製作することができる。又、回動力を解除すれば、上下弾性翼片によってもとの形状に復帰することができる。
【０００９】
本発明の第２の手段として構成したところによると、ロック用突起と係止突起の係止状態を解除して、移動側レールを前方に移動させると、ロック用突起は係止突起に係止する位置に復帰しているが、再び、移動側レールを収納していくと、係止用突起の案内傾斜部に対応して被案内傾斜部が形成されているので、係止突起は移動側レールの収納に影響しない位置に変位し、係止突起を通過すると、当接ロック部は、係止突起の当接係止部に当接する位置に復帰し、移動側レールをロック状態とすることができる。
【図面の簡単な説明】
【００１０】
【図１】本発明のスライドレールの伸長途中状態の斜視図である。
【図２】スライドレールの基本断面図である。
【図３】移動側レールとロック部材の要部斜視図である。
【図４】ロック部材の裏面側の斜視図である。
【図５】係止部材の斜視図である。
【図６】固定側レールと係止部材の要部斜視図である。
【図７】スライドレールのロック状態の説明図である。
【図８】ロック用突起が係止突起の上方向に移動し、ロック状態が解除された状態          を示す説明図である。
【図９】ロック用突起が係止突起の下方向に移動し、ロック状態が解除された状態          を示す説明図である。
【図１０】ロック用突起が係止突起に接触しながら、移動側レールが摺動している状          態を示す説明図である。
【図１１】ロック用突起の被案内傾斜面と係止突起の案内傾斜面が接触している状態          を示す説明図である。
【図１２】移動側レールが引き出されて、ロック部材が係止部材の前方に位置した状          態を示す説明図である。
【発明を実施するための最良の形態】
【００１１】
本発明は、ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなるスライドレールのロック装置において、係止部材は、固定側レールに嵌合される上下嵌合突部と、上下嵌合突部間に連設され、スライドレールの摺動方向に不動に取り付けられる固定部と、固定部の内面に連設される係止突起が、合成樹脂材より一体に形成され、係止突起は、前端側に形成された案内傾斜部と、後端に形成された当接係止部を有し、ロック部材は、移動側レールに嵌合される上下弾性翼部と、スライドレールの摺動方向中央部で上下弾性翼部間に連設され、移動側レールに回動自在で、スライドレールの摺動方向に不動に取り付けられる固定基板部と、固定基板部の前方に連設され、前記係止突起に係止するロック用突起を有するロック部と、ロック部の前方に連設されて、移動側レールの前方に突出し、固定基板部を上下いずれかの方向に回動させて、ロック用突起と係止突起の係止状態を解除する操作用腕部が合成樹脂材より一体に形成され、ロック用突起は、案内傾斜部に対応して被案内傾斜部と、当接係止部に対応して当接ロック部を有しているものである。
【実施例】
【００１２】
スライドレールの基本的構成を図１、図２に基づいて説明する。
スライドレール１００は、陳列棚等の本体の内面に連結ネジ等で連結される固定側レール１と、固定側レール１に対し、固定側ボール保持板３に回転自在に保持された複数個のボール３０・・・を介して摺動自在に設けられた中間レール４と、中間レール４に対し、移動側ボール保持板５に回転自在に保持された複数個のボール５０・・・を介して摺動自在に設けられた移動側レール２より構成され、移動側レール２が固定側レール１に収納された状態を保持する係止部材７が固定側レール１の前端部内面に、係止部材７に係脱自在のロック部材６が、移動側レール２の前端部内面に設けられている。（図１参照）
【００１３】
固定側レール１は、金属製の細長条板の短手両端部を内向き円弧状に折り曲げて形成された内面長手方向（摺動方向）にボール案内溝を有する上下折曲縁１１、１１と、基板１２より断面略Ｃ字形をなし、摺動方向前部に、基板１２の一部が移動側レール２方向に突出し、固定側ボール保持板３、中間レール４、移動側ボール保持板５等を介して、移動側レール２を最大引き出した状態で停止させ、スライドレール１００を最大伸長となすレール伸長時ストッパー１３と、摺動方向後端部に、基板１２を移動側レール２方向に突出し、中間レール４等を介して、移動側レール２が最も収納された状態で停止させ、スライドレール１００を最短縮小状態となすレール短縮時ストッパー１３０が形成されている。
【００１４】
移動側レール２は、固定側レール１とほぼ同等の長さで、金属製の細長条板の短手両端部を内向き円弧状に折り曲げて形成された内面長手方向（摺動方向）にボール案内溝を有する上下折曲縁２１、２１と、基板２２より固定側レール１に対向する断面略Ｃ字形に形成されている。
そして、基板２２の前部には、前記固定側レール１方向に突出し、移動側レール２の収納時に中間レール４の前端に当接する移動側レール収納時ストッパー２２１が形成され、基板２２の後端部には、スライドレール１００の最大伸長状態で移動側ボール保持板５の後端に当接する移動側レール後端ストッパー２２０が形成されている。
【００１５】
中間レール４は、帯状金属板にて上記固定側レール１と移動側レール２間に挿入可能な大きさに形成されている。
すなわち、金属製の細長条板の短手両端部を外向き円弧状に折り曲げて、外面長手方向（摺動方向）にボール案内溝を有する上下折曲縁４２、４２と基板４１からなる断面略Ｃ字形に形成された固定側中間レールと、固定側中間レールと左右対称形で、金属製の細長条板の短手両端部を外向き円弧状に折り曲げて、外面長手方向（摺動方向）にボール案内溝を有する上下折曲縁４３、４３と基板４０からなる断面略Ｃ字形に形成された移動側中間レールよりなり、互いの基板４１，４０を摺動方向にややずらして固着された、断面略Ｉ字形で、固定側レール１及び移動側レール２とほぼ同長に形成されている。
【００１６】
そして、中間レール４の基板４１の後端部に固定側レール１側に突出し、移動側レール２の引き出し時、固定側ボール保持板３の後端部に当接すると共に、移動側レール２の収納時、固定側レール１のレール短縮時ストッパー１３０の内面に当接する中間レール後端ストッパー４５が形成され、基板４０の前端部に移動側レール２側に突出し、移動側レール２の引き出し時、移動側ボール保持板５の前端部が内面に当接すると共に、移動側レール２の収納時、前記移動側レール収納時ストッパー２２１の内面が当接する中間レール前端ストッパー４４が形成されている。
【００１７】
固定側ボール保持板３は帯条金属板にて中間レール４より所定寸法短くした、固定側レール１と中間レール４間に挿入可能な大きさの基板３１と、固定側レール１と中間レール４の各上下折曲縁１１、１１、４２、４２間に位置する上下突出縁３２、３２より断面略コ字形に形成され、上下突出縁３２、３２の長手方向（摺動方向）数個所でボール３０・・・を回転自在に保持している。
【００１８】
移動側ボール保持板５は帯条金属板にて中間レール４より所定寸法短くした、移動側レール２と中間レール４間に挿入可能な大きさの基板５１と、移動側レール２と中間レール４の各上下折曲縁２１、２１、４３、４３間に位置する上下突出縁５２、５２より断面略コ字形に形成され、突出縁５２、５２の長手方向（摺動方向）数個所でボール５０・・・を回転自在に保持している。
【００１９】
スライドレール１００は上記の如く構成され、移動側レール２が固定側レール１に最も収納された状態（最短縮小状態）では、中間レール後端ストッパー４５が、固定側レール１のレール短縮時ストッパー１３０の前面に当接し、移動側レール２の移動側レール収納時ストッパー２２１が中間レール前端ストッパー４４の前面に当接し、ロック部材６が、固定側レール１の係止部材７に係止している。（ロック状態。尚、この状態でロック部材６と係止部材７の係止状態を解除するための解除用クリアランスが設けられ、移動側レール２はスライドレール１００の摺動方向に若干移動可能となっている。）
【００２０】
この状態から、ロック部材６の係止部材７に対する係止状態を解除して、移動側レール２を前方に引き出していくと、移動側レール２の移動距離の２分の１の距離だけ移動側ボール保持板５は移動し、中間レール４の移動距離の２分の１の距離だけ固定側ボール保持板３は移動するので、移動側レール後端ストッパー２２０の前面が移動側ボール保持板５の後端に当接し、移動側ボール保持板５の前端が中間レール４の中間レール前端ストッパー４４の後面に当接して、中間レール４の中間レール後端ストッパー４５の前面が固定側ボール保持板３の後端に当接し、固定側ボール保持板３の前端が、固定側レール１のレール伸長時ストッパー１３の後面に当接して、移動側レール２、中間レール４は停止し、スライドレール１００は最大伸長状態となる。
【００２１】
次に、第１実施例のロック部材６を図１、図３、図４に基づいて説明する。
第１実施例のロック部材６は、移動側レール２の上下折曲縁２１、２１の内面に嵌合する上下弾性翼部６１、６１と、上下弾性翼部６１、６１のスライドレール１００の摺動方向中央部間に連設され、移動側レール２に回動自在で、スライドレール１００の摺動方向に不動に取り付けられる固定基板部６２と、固定基板部６２の前方に連設され、固定側レール１側の面に上下ロック用突起６３１、６３１を有するロック部６３と、ロック部６３の前方に連設されて、移動側レール２の前方に突出し、固定基板部６２を上下いずれかの方向に回動させる操作用腕部６４より構成され、合成樹脂材より一体に成形されている。
そして、固定基板部６２の裏面側（移動側レール２の基板２２側の面）には、移動側レール２の基板２２前端部内面に形成された枢軸用突起２２０に嵌合し、スライドレール１００の摺動方向に不動で回動自在に保持されるための回動保持用凹部６２１が形成されている。符号６２０、６２０は材料費削減のための抜き孔を示している。
【００２２】
上下ロック用突起６３１、６３１は同形に形成されているので、一方側についてのみ説明する。
上ロック用突起６３１は、前端部に円弧状に形成され、係止部材７に係止する上当接ロック部６３２と、上ロック用突起６３１の下面側の後部を後方に向かって上方に傾斜させた上被案内傾斜部６３３より、側面視横向き略三角形状に形成されている。
符号６３４、６３４は、上下ロック用突起６３１、６３１が回動保持用凹部６２１を中心に上下方向に回動したとき、上下弾性翼部６１、６１に当接するのを避けるための上下切り落とし段部を示している。
【００２３】
係止部材７は、固定側レール１の上下折曲縁１１、１１の内面に形成されたボール案内溝に嵌合される上下嵌合突部７１、７１と、上下嵌合突部７１、７１間に連設された固定部７２より、合成樹脂材にて一体に形成されている。
そして、固定部７２の固定側レール１の基板１２側の面に、固定側レール１の基板１２に形成された取付用嵌合孔１２１、１２１に嵌合する嵌合突起７２１、７２１が連設され
移動側レール２側の面に前記ロック部材６の上下ロック用突起６３１、６３１に対応して、上下係止突起７３、７３が連設され、上下係止突起７３、７３の後方に、固定側レール１の基板１２に形成された取付用突起１２２に嵌合する嵌合孔７２２が形成されている。
【００２４】
上下係止突起７３、７３は同形に形成されているので、一方側についてのみ説明する。
上係止突起７３は、上面前端部に前記上ロック用突起６３１に形成された上被案内傾斜部６３３に対応して、前方に向かって下方に傾斜する上案内傾斜部７３１と、上当接ロック部６３２に対応して後端部に形成された上当接係止部７３２より、側面視横向き略三角形状に形成されている。
【００２５】
第１実施例のロック部材６と係止部材７は上記の如く形成され、移動側レール２が最大伸長状態（引出し、棚板等が最も引き出された状態）から移動側レール２を収納していくと、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００２６】
しかしながら、ロック部材６は、移動側レール収納時ストッパー２２１の前方に設けられているので、移動側レール２と中間レール４の固定側レール１に対する収納順位にかかわらず、最終的には、ロック部材６の上下ロック用突起６３１、６３１に形成された上下被案内傾斜部６３３、６３３の収納方向先端側の下面が、係止部材７に形成された上下係止突起７３、７３の上下案内傾斜部７３１、７３１の引き出し側先端部上面に接触する。（図１１に実線で示す状態。）
【００２７】
さらに、移動側レール２を収納させると、上下係止突起７３、７３の上下案内傾斜部７３１、７３１に接触しながら、同時に上下弾性翼片６１、６１を弾性変形させつつ、固定基板部６２の回動保持用凹部６２１を中心にロック部６３を回動させ、上下ロック用突起６３１、６３１は上方に移動する。（図１０に示す状態。）
【００２８】
さらに、移動側レール２を収納させると、上下ロック用突起６３１、６３１の上下当接ロック部６３２、６３２が、係止部材７の上下係止突起７３、７３上を収納側に通過すると、（図８に示す状態。）上下弾性翼片６１、６１の弾性によって、ロック部６３は元の状態に回動し、上下ロック用突起６３１、６３１も元の位置に復帰し、スライドレール１００は、最短縮小状態となる。（図７に示す状態。）
【００２９】
すなわち、中間レール後端ストッパー４５が、固定側レール１のレール短縮時ストッパー１３０の前面に当接し、移動側レール２の移動側レール収納時ストッパー２２１が中間レール前端ストッパー４４の前面に当接し、ロック部材６の上下当接ロック部６３２、６３２が係止部材７の上下当接係止部７３２、７３２に係止している。（ロック状態。尚、この状態でロック部材６と係止部材７の係止状態を解除するための解除用クリアランスが上下当接ロック部６３２、６３２と上下当接係止部７３２、７３２間に形成され、移動側レール２はスライドレール１００の摺動方向に若干移動可能となっている。）
【００３０】
この状態から、移動側レール２（棚板等）を引き出すときは、棚板の上面と操作用腕部６４の下面を指先で摘むようにして、上下弾性翼片６１、６１を弾性変形させながら、固定基板部６２の回動保持用凹部６２１を中心にロック部６３を回動させるように、操作用腕部６４を上方に移動させて、上下ロック用突起６３１、６３１を、係止部材７の上下係止突起７３、７３の上方に位置させる。（図８に示す状態。ただし、係止部材７とロック部材６は左右に対向するスライドレール１００、１００に兼用して使用されるので、一方側のスライドレール１００に取り付けられた係止部材７とロック部材６は、上下逆使いとなる図９の状態で使用される。）
【００３１】
さらに、上記の上記状態を維持しながら、ロック部材６の上下ロック用突起６３１、６３１が係止部材７の上下係止突起７３、７３の上方を通過するまで、移動側レール２を引き出し、操作用腕部６４から指先をはなすと、上下弾性翼片６１、６１の弾性によって、ロック部６３は元の状態に回動し、上下ロック用突起６３１、６３１も元の位置に復帰し、やがて、移動側レール２は図１２に示す引出途中から最大伸長状態となって停止する。
【００３２】
尚、ロック状態（スライドレール１００の最短縮小状態）で、ロック部材６と係止部材７の係止状態を解除するための解除用クリアランスが上下当接ロック部６３２、６３２と上下当接係止部７３２、７３２間に形成されているので、スライドレール１００が傾斜棚に使用されているときは、係止部材７の上下当接係止部７３２、７３２にロック部材６の上下当接ロック部６３２、６３２が当接しているので、ロック部材６の操作用腕部６４を上方に移動させるとき、移動側レール２が後方に若干移動することとなるが、棚板を腕（指先）で支えながらロック解除を行うので、傾斜棚であっても不測に棚板が飛び出すことがなく、操作を安全に行うことができる。
【符号の説明】
【００３３】
１                固定側レール
１００            スライドレール
２                移動側レール
２２１            移動側レール収納時ストッパー
４                中間レール
６                ロック部材
６１、６１        上下弾性翼部      連結部
６２              固定基板部
６３              ロック部
６３１、６３１    上下ロック用突起
６３２、６３２    上下当接ロック部
６３３、６３３    上下案内傾斜部
６４              操作用腕部      
７                係止部材
７１、７１        上下嵌合突部
７２              固定部
７３、７３        上下係止突起
７３１、７３１    上案内傾斜部
７３２、７３２    上当接係止部
【図１】
2015012913.tif 000003
【図２】
2015012913.tif 000004
【図３】
2015012913.tif 000005
【図４】
2015012913.tif 000006
【図５】
2015012913.tif 000007
【図６】
2015012913.tif 000008
【図７】
2015012913.tif 000009
【図８】
2015012913.tif 000010
【図９】
2015012913.tif 000011
【図１０】
2015012913.tif 000012
【図１１】
2015012913.tif 000013
【図１２】
2015012913.tif 000014